(57)【要約】  電力供給装置への接続のための入力接続部(441)および発光デバイス(110)への接続のための出力接続部(431)を有するパッケージ(700)と、前記パッケージ(700)内に配置される所定の組の回路(200、210; 200、210、230)であって、前記所定の組の回路は、発光デバイス(110)の駆動機能性を行うように適合される、所定の組の回路(200、210; 200、210、230)と、プラグ脱着可能なモジュールが、パッケージの外側から受け取られてもよいように、さらなる回路(220)を備えるプラグ脱着可能なモジュールを受け取るために構成される受け取り手段(310)であって、さらなる回路は、プラグ脱着可能なモジュールが、受け取り手段にプラグ接続されるとき、所定の組の回路に接続される、受け取り手段(310)と、プラグ脱着可能なモジュールが、受け取り手段にプラグ接続されるとき、さらなる回路に接続される(580)接続部(421)であって、接続部(421)は、パッケージの外側からユーザによってアクセス可能である、接続部(421)とを備える、照明器具ドライバシステム。
2019526157.tif 000002
【特許請求の範囲】
【請求項１】
-  電力供給装置への接続のための入力接続部(441)および発光デバイス(110)への接続のための出力接続部(431)を有するパッケージ(700)と、
-  前記パッケージ(700)内に配置される所定の組の回路(200、210; 200、210、230)であって、前記所定の組の回路は、前記発光デバイス(110)の駆動機能性を行うように適合される、所定の組の回路(200、210; 200、210、230)と、
-  プラグ脱着可能なモジュールが、前記パッケージの外側から受け取られてもよいように、さらなる回路(220)を備える前記プラグ脱着可能なモジュールを受け取るために構成される受け取り手段(310)であって、前記さらなる回路は、前記プラグ脱着可能なモジュールが、前記受け取り手段にプラグ接続されるとき、前記所定の組の回路に接続される、受け取り手段(310)と、
-  前記プラグ脱着可能なモジュールが、前記受け取り手段にプラグ接続されるとき、前記さらなる回路に接続される(580)接続部(421)であって、前記接続部(421)は、前記パッケージの外側からユーザによってアクセス可能であるように配置される、接続部(421)とを備える、照明器具ドライバシステム。
【請求項２】
前記所定の組の回路(200、210; 200、210、230)は、幹線入力回路構成(200、A)、電圧/電流調整回路構成(210、B)、LED出力回路構成(230、Z)を備える、請求項1に記載の照明器具ドライバシステム。
【請求項３】
前記受け取り手段は、少なくとも部分的に前記パッケージ(700)内に位置しかつ/または前記パッケージ(700)の一部である、請求項1から2のいずれか一項に記載の照明器具ドライバシステム。
【請求項４】
異なるタイプのプラグ脱着可能なモジュールは、前記受け取り手段にプラグ接続することができる、請求項1から3のいずれか一項に記載の照明器具ドライバシステム。
【請求項５】
前記さらなる回路は、調光制御回路構成、および好ましくは次のもの、すなわちDMX(デジタルマルチプレックス)制御回路構成、DALI制御回路構成、0〜10V調光制御回路構成のいずれか1つを備える、請求項1から4のいずれか一項に記載の照明器具ドライバシステム。
【請求項６】
前記受け取り手段(310)は、異なる調光制御回路構成を含有する少なくとも2つの異なるタイプのプラグ脱着可能なモジュールを受け取るように構成される、請求項5に記載の照明器具システム。
【請求項７】
前記さらなる回路は、通信回路構成、および好ましくは次のもの、すなわちENOCEAN制御回路構成、ブルートゥース(登録商標)低エネルギー(BLE)制御回路構成、ジグビー制御回路構成、NFC(近距離無線通信)制御回路構成、LoRa、Sigfoxなどの低電力広域ネットワーク(LPWAN)回路構成、狭帯域モノのインターネット(NB-IoT)のいずれか1つを備える、請求項1から6のいずれか一項に記載の照明器具ドライバシステム。
【請求項８】
前記受け取り手段は、異なる通信回路構成を含有する少なくとも2つの異なるタイプのプラグ脱着可能なモジュールを受け取るように構成される、請求項7に記載の照明器具システム。
【請求項９】
前記さらなる回路は、Li-Fi制御回路構成を備える、請求項1から8のいずれか一項に記載の照明器具ドライバシステム。
【請求項１０】
前記さらなる回路は、デジタル信号処理回路構成を備える、請求項1から9のいずれか一項に記載の照明器具ドライバシステム。
【請求項１１】
前記さらなる回路は、ファームウェア更新ハンドリング回路構成を備える、請求項1から10のいずれか一項に記載の照明器具ドライバシステム。
【請求項１２】
前記さらなる回路は、センサ制御回路構成、好ましくは次のもの、すなわちIRカメラ昼光感知回路構成、運動センサおよびビデオ/イメージ処理回路構成、空気品質感知回路構成、音センサのいずれか1つを備える、請求項1から11のいずれか一項に記載の照明器具ドライバシステム。
【請求項１３】
前記パッケージは、前記プラグ脱着可能なモジュールを受け取るためのリセス(710)を提供される、請求項1から12のいずれか一項に記載の照明器具ドライバシステム。
【請求項１４】
前記プラグ脱着可能なモジュールは、取り外し可能である、請求項1から13のいずれか一項に記載の照明器具ドライバシステム。
【請求項１５】
前記所定の組の回路は、前記パッケージ(700)内の回路基板(830)上に提供される、請求項1から14のいずれか一項に記載の照明器具ドライバシステム。
【請求項１６】
前記受け取り手段は、前記回路基板(830)上に提供されるスロット(810)を備え、前記スロット(810)は、前記プラグ脱着可能なモジュール(300)の回路基板(820)の一部を受け取るように構成される、請求項15に記載の照明器具ドライバシステム。
【請求項１７】
前記リセス(710)は、前記スロット(810)と向き合って前記パッケージの上面内に提供される、請求項13および16に記載の照明器具ドライバシステム。
【請求項１８】
プラグ接続されるとき、前記プラグ脱着可能なモジュールの存在および/またはタイプを認識するように構成される内部回路構成をさらに備える、請求項1から17のいずれか一項に記載の照明器具ドライバシステム。
【請求項１９】
信号切り替えおよび/または信号適合回路構成をさらに備え、前記内部回路構成は、前記プラグ接続されたモジュールの使用を可能にするために、前記信号切り替えおよび/または信号適合回路構成を前記認識されたタイプの機能に設定するように構成される、請求項18に記載の照明器具ドライバシステム。
【請求項２０】
1つまたは複数のプラグ脱着可能なもしくはプラグ接続されるモジュールを備える、請求項1から19のいずれか一項に記載の照明器具ドライバシステム。
【請求項２１】
第2のプラグ脱着可能なモジュールが、第2の受け取り手段にプラグ接続されるとき、第2のさらなる回路が、前記所定の組の回路に接続されるように、前記第2のさらなる回路を備える前記第2のプラグ脱着可能なモジュール(300')を受け取るために構成される前記第2の受け取り手段(310')を備える、請求項1から20のいずれか一項に記載の照明器具ドライバシステム。
【請求項２２】
前記受け取り手段(310)は、調光制御機能を行うために構成される異なる第1のタイプのプラグ脱着可能なモジュール(300)を受け取るように構成され、前記第2の受け取り手段(310')は、通信機能を行うために構成される異なる第2のタイプのプラグ脱着可能なモジュール(300')を受け取るように構成される、請求項1から21に記載の照明器具ドライバシステム。
【請求項２３】
前記受け取り手段は、前記プラグ脱着可能なモジュールを保持するように構成される一対一の取り付け機構を備える機械的手段を備える、請求項1から22のいずれか一項に記載のドライバシステム。
【請求項２４】
請求項1から23のいずれか一項に記載の照明器具ドライバシステムを備える照明器具。
【請求項２５】
請求項1から23のいずれか一項に記載の照明器具ドライバシステムにおける使用のために構成されるプラグ脱着可能なモジュール。
【請求項２６】
請求項1から23のいずれか一項に記載の照明器具ドライバシステムにおけるプラグ脱着可能なモジュールの使用。
【請求項２７】
請求項24に記載の照明器具におけるプラグ脱着可能なモジュールの使用。
【発明の詳細な説明】
【技術分野】
【０００１】
本発明は、第2のデバイスを操縦するために適合される第1のデバイスに関し、より詳しくは、ドライバとも表される前記第1のデバイスは、発光デバイス(例えばLED)などの第2のデバイスのための駆動信号を提供するために適合される。
【背景技術】
【０００２】
現況技術のドライバは今日、電圧および/または電流の観点からその対象発光デバイス(例えば1つまたは複数のLED)に適した普通のオンオフ駆動信号を提供する基本的/主要機能よりもはるかに多くの機能性を提供する。本質的には、ドライバは今日、複数の機能性を提供するように設計されかつ/または複数の対象デバイスについて動作可能にされる。残念ながら、この展開は、あまりにもかさばりかつ/または費用のかかるドライバをもたらす。
【０００３】
現況技術のドライバの述べられる能力は、前記ドライバのアーキテクチャの一部として、典型的にはある(部分的に重複さえしている)機能性とそれぞれ整合する、複数の回路を提供することによって実現され、その結果ドライバのある使用を選ぶとき(例えばある対象デバイスおよびある動作モードのために)、他の回路の大部分は、利用可能なままであるが、それらは、使用されない。それ故に、ドライバのかさばりおよびコストは実際には、効率的使用ももたらさない。
【０００４】
ドライバのモデルが、市場ニーズに対して著しく大きすぎることもあるという事実の他に、現況技術に関するさらなる欠点は、下記のように要約することができる。
【０００５】
異なるドライバが異なる実施形態/接続部を使用することは、照明器具内での電気的/機械的統合が、それらの各々について成し遂げられなければならないことを意味する。
【０００６】
異なるドライバは、異なる電子回路を使用し、それ故に基本的/主要機能に関連する電気的/熱的性能は、それらの各々について評価されなければならない。
【０００７】
異なるドライバは、異なる電子回路を使用し、それ故に、認証プロセス(電気保安/標準準拠)は、それらの各々について適用されなければならない。
【発明の概要】
【発明が解決しようとする課題】
【０００８】
上述の問題を回避しながら、対象デバイスの大きいクラスについてそれらの強化された機能性および/または適合性の観点から現況技術のドライバの利点を保有することが、本発明の目的であり、より詳しくは提供される発明は、識別されるサイズおよび/またはコスト障壁を軽減することによって機能性をさらに強化しかつ/または適合性を広げ、好ましくはまた現況技術の他の欠点も克服することを可能にする。
【課題を解決するための手段】
【０００９】
本発明の一態様によると、請求項1に記載のドライバシステムが、提供される。
【００１０】
その好ましい実施形態は、従属請求項において開示される。
【００１１】
本発明の一実施形態は、照明器具の発光デバイス、特に1つまたは複数の発光ダイオード(LED)のための駆動信号を提供するために適合され、接続部および所定の組の回路を備え、それが、取り外し可能な方法で追加できる1つまたは複数のさらなる回路を受け取るための手段を備え、少なくとも接続部のいくつかの使用が、さらなる回路の存在および/またはタイプによって影響され得るという点においてモジュール式である、照明器具ドライバシステムであり、所定の組の回路は、基本的駆動機能性を実現する。
【００１２】
それ故に、本発明は、配置が、所定の組の利用可能な回路、および取り外し可能な方法で追加できるさらなる回路を受け取るための手段を提供されるという点においてモジュラー式であるドライバシステムを提供する。厳密に必要ではないけれども、所定の組の利用可能な回路は、第1の(基本的)駆動機能性を実現することができるように選択されてもよい。これは、例えば発光デバイスのスイッチを入れ、それを厳密に1つの光レベルで駆動し、それのスイッチを切ることである。
【００１３】
さらなる回路は、すなわち回路基板上に印刷されるように提供されてもよい。しかしながら、さらなる回路のために少なくとも部分的な筐体を提供することは、より実行可能であるということになる。本発明によるドライバシステムはその結果、さらなる回路を受け取るための手段を備え、その手段は、少なくとも部分的に筐体内に位置しかつ/または筐体の一部である。
【００１４】
前記さらなる回路を受け取るための前記手段は、機械的手段(例えば回路を実際に保持するための)および/または電子的手段(例えば前記さらなる回路の使用を受け入れるための)を備えてもよい。本質的に、ドライバシステムは、前記さらなる回路の1つまたは複数で補完されるとき、第1の(基本的)駆動機能性とは違う1つまたは複数の駆動機能性を実現することができ、それ故にこれらのさらなる回路は、それに寄与するように適合される。
【００１５】
特に、所定の組の回路から接続部の1つまたは複数への信号が、さらなる回路の機能性によって影響され得る時、接続部の使用は、さらなる回路の存在および/またはタイプによって影響され得る。接続部の使用に影響を与えることはまた、接続部から所定の組の回路への信号に影響を与えるまたは信号を変えるためにドライバの適合によって提供されてもよい。ドライバはまた、信号をコネクタに提供する前に主要機能に影響を与えかつ/または主要機能から利用可能な信号を適合させるように適合されてもよい。例として、所定の組の回路を備えるドライバシステムは、いったん対応するさらなる回路が、さらなる回路を受け取るための手段に接続されると、調光機能性を提供することができることによって強化されてもよい。
【００１６】
特に、本発明によるドライバシステムは、そのうちの少なくとも1つが、データ信号または電力供給装置のための接続部として使用されることもあり得る、接続部を備える。データ信号は、通信信号、調光、環境および/または照明器具の具体的情報を含んでもよい。本発明の別の実施形態によると、ドライバシステムは、電力をさらなる回路に供給するための手段およびさらなる回路を所定の組の回路と接続するための手段を備える。また、さらなる回路は、接続部に接続されるデバイス、例えば発光デバイスまたはセンサに電力供給装置を提供してもよい。
【００１７】
具体的には、本発明によるドライバシステムは、異なるタイプの発光デバイスのための駆動信号を提供するように適合されてもよい。特に、本発明によるドライバシステムは、1つまたは複数の発光ダイオードのための駆動信号を提供するように適合される。これは、1つもしくは複数のレーザタイプのLEDのためのまたは有機LEDのための駆動信号を提供するためにドライバシステムの適合を含む。ドライバシステムはその結果、LEDドライバを備える。
【００１８】
本発明の別のだがまた一般的でもある実施形態では、照明器具の発光デバイス、特に1つまたは複数の発光ダイオード(LED)のための駆動信号を提供するために適合される、照明器具ドライバシステムは、接続部および所定の組の回路を備え、それが、プラグ脱着可能なモジュールとして追加できる1つまたは複数のさらなる回路を受け取るための手段を備え、それによって少なくとも接続部のいくつかの使用が、さらなる回路の存在および/またはタイプによって影響され得るという点においてモジュール式であり、所定の組の回路は、基本的駆動機能性を実現する。プラグ脱着可能なモジュールは、取り外し可能であってもよいが、しかしそれはまた、モジュールまたはドライバシステムもしくはその筐体を損傷することなしに取り外すことができないように、ロッキングデバイスを通じて照明器具ドライバシステムおよび/またはその筐体に固定されてもよい。
【００１９】
現況技術の(LED)ドライバは、多機能性を有するが(埋め込まれた特徴および/または制御手段の観点から)、しかし大きすぎかつ/または重複しているという欠点を有するということを思い出されたい。考案された(LED)ドライバは、上述されるようなさらなる回路と接続される取り外し可能なモジュールの使用(例えばUSB技術の使用によるプラグ接続)を可能にするような方法で設計される。前に論じられたようなモジュール式(LED)ドライバの設計は、しかしながら、現況技術のドライバの最初のパッケージの外部に機能性回路の一部を単に置くということをはるかに超える、多くの電気的かつ/または機械的考察を必要とする。本発明は、(LED)ドライバI/O関係が、保存されたままであるとき(ユーザが、問題と出会わないように)、特に実用的である。その上、今日の現況技術のLEDドライバでさえ、その埋め込まれた機能性の使用のために、異なる電気的または電子的接続が使用されるということを必要とする。本発明の一実施形態では、固定I/O関係は、予測され、それは、現況技術を超える追加のユーザ利点を提供する。
【００２０】
本発明の別の実施形態では、ドライバシステムは、前記影響され得る接続部を備えかつ1つまたは複数のプラグ脱着可能なモジュールへのユーザアクセスを可能にする好ましくは別個のコネクタを備える。ドライバシステムは、接続部と接触するためのスロットの形の1つまたは複数のコネクタを有することができる。さらなる回路へのアクセスを可能にする1つまたは複数のコネクタを使用することは、例えば昼光センサ、カメラまたはアンテナのような機能部品の付着を簡略化する。
【００２１】
特に、さらなる回路へのアクセスを容易にするために、コネクタとさらなる回路との間に直接的なハードウェア接続部があってもよい。しかしながら、この直接的なハードウェア接続部は、さらなる回路を誤用から保護するための放電保護のような簡単な電気的手段を備えてもよい。
【００２２】
ドライバおよびその対象デバイスが使用されるシステムが、変わらなければならないということを回避するために、機械的フォームファクタ態様は、特にモジュールを保持するための典型的なパッケージまたは筐体において予測されるエンクロージャの使用によって、考察されなければならない。さらに、例えばLEDドライバの主要機能の電気的/熱的性能もまた、任意のプラグ脱着可能なモジュールのオプションの使用が何であれ、保存されたままであるものとする。
【００２３】
また、本発明によるドライバシステムは、1つまたは複数のさらなる回路を保持するための一対一の取り付け機構を備えるさらなる回路を受け取るための手段を含んでもよく、それはまた、ドライバシステムおよびさらなる回路の誤用を回避するのにも役立つ。しかしながら、本発明の別の実施形態では、ドライバシステムまたはさらなる回路は、さらなる回路を受け取るための手段に接続される結合デバイスの配向に応じて接続部の使用を調節するための電子的手段を備える。
【００２４】
好ましくは、本発明によるドライバシステムは、特に前記さらなる回路の使用を受け入れるために、電子的手段を備える1つまたは複数のさらなる回路を受け取るための手段を備える。それらの手段は、電力をさらなる回路に伝達するように適合されてもよい。それらはまた、例えばさらなる回路とさらなる回路を受け取るための手段との間の接続部の1つに受け取られる電圧レベルまたは信号を通じて、1つまたは複数のさらなる回路を識別するための手段を含むこともできる。自動モジュール識別のためのそれらの手段は、その電圧レベルが、さらなる回路のタイプに関連するように、抵抗器を備えてもよい。別法として、キャパシタもしくはRFIDチップまたは他のチップおよびタグが、さらなる回路にとって特有の情報を受け取るために使用されてもよい。
【００２５】
別法としてまたは追加として、電子的手段は、さらなる回路からの信号を所定の組の回路に必要な限界内に収めるために、データまたは信号適合手段として提供されてもよい。また、電子的手段は、知能、例えばマイクロプロセッシングユニット(MPU)を備えてもよい。基本的ドライバシステムは、低コスト設備に適していることもある簡単な駆動機能性の能力があるが、そのような基本的ドライバは、より進歩した設備のために後で強化されてもよい。また、基本的ドライバシステムの製造は、すべての機能性のためのすべての回路構成を提供する現況技術のドライバシステムと比較して安価でもある。本発明によると、より意欲的な設備はなお、所望の機能性を備えるさらなる回路、例えばセンサデータを受け取り、分析するためのマイクロプロセッシングユニット(MPU)を装備する同じコスト効率の良いドライバシステムに基づいてもよい。
【００２６】
例として、基本的ドライバシステムは、調光プロフィールを生成するためのモジュールを用いて強化されてもよい。そのようなプロフィールは、ひいてはモジュールによって提供されるリアルタイムクロック機能性によって提供される時間に基づいてもよい。
【００２７】
所定の組の回路を有するドライバシステムの一部である代わりに、電子的手段はまた、さらなる回路の一部であってもよい。例として、さらなる回路を備えるプラグ脱着可能なモジュールは従って、ドライバシステムに付着されているカメラから取得される写真を分析する能力があるMPUを装備してもよい。
【００２８】
本発明のなお別の実施形態では(現況技術のドライバに反して)、ドライバシステムは、少なくとも存在および/またはタイプを認識するさらなる内部回路構成を備える。有利には、電子的手段は、このさらなる内部回路構成を備える。モジュールのタイプは、簡単な識別番号のこともあるが、しかしそれはまた、モジュールの機能性のより深い定義のこともあり得る。特に、モジュールのタイプは、モジュールの機能性についての情報を与える。認識は、電圧または電流レベル信号に基づいてもよい。
【００２９】
本発明のそのような実施形態では、前記さらなる回路構成は、モジュールのタイプを認識した後、特に前記(プラグ接続された)モジュール機能性の使用を可能にするために、少なくとも正しい信号切り替えを設定するためのステップを取ることができる。代替実施形態では、プラグ脱着可能なモジュールは、認識信号を発生させるかかつ/または正しい信号切り替えそれ自体を行うように適合される。認識信号は、ある電圧または電流を通じて提供されてもよい。
【００３０】
1つまたは複数のモジュールの使用によって提供されてもよい他の機能性は、DMX制御、DALL制御、0〜10V制御、ENOCEAN制御、ブルートゥース(登録商標)低エネルギー(BLE)制御、NFC制御、Lifi制御、ファームウェア更新ハンドリング、IRカメラ昼光感知、運動センサおよびビデオ/イメージ処理、空気品質感知である。モジュールは従って、もし基本的ドライバシステム内に制御バスがあるならば、ドライバシステムの制御バスへの制御信号を生成する能力があってもよい。別法として、プラグ接続されたモジュールは、バス機能性を基本的ドライバシステムに提供することができる。
【００３１】
なおさらなる実施形態では、上記の両方の実施形態、すなわち認識信号の発生および正しい信号切り替えそれ自体を行うことが、支援される。1つまたは別の方法で信号切り替えを提供することの他に、中間もしくはさらなる回路構成またはモジュールの回路の存在は、ドライバかまたはモジュール内のいずれかでの信号適合(例えば増幅)を必要とすることもあり、すなわちドライバまたはモジュールは、信号適合のための手段および特に信号増幅のための手段を備えるということに留意されたい。信号適合のための手段は、モジュール側に追加としてまたは別法として存在することができるということに留意すべきである。また、信号増幅のための手段の隣にまたはそれの代わりに、電気的保護または電気的絶縁のための手段が、ドライバまたはモジュール側に存在してもよいことに留意すべきである。プラグ脱着可能なモジュールはそこで、接続部からのかつ/または接続部への信号を適合させることができることもある。
【００３２】
本発明の別の態様によると、ドライバシステムは、1つまたは複数のプラグ脱着可能なもしくはプラグ接続されるモジュールを備え、モジュールは、少なくともさらなる回路を備える。モジュールは、機械的手段に付着され、ドライバシステムの筐体のスロットおよびレセプタクル内に位置することもあり得る。第2のモジュールを受け入れるためのスペースを提供するために第1のスロットに対応する別のスロットがあってもよい。また、本発明の別の実施形態では、レセプタクルは、2つのモジュールを受け入れるためのスペースまたはスロットを含むこともある。なお別の実施形態では、ドライバシステムは、積み重ね可能なモジュールを備え、少なくとも1つのモジュールは、第2のモジュールを付着させかつそれと通信するまたは接続部をドライバシステムまでループさせるための手段を提供する。それに応じて、ドライバシステムは、2つのモジュールの使用を同時に可能にするように設計され、それは、データバス、好ましくはSPIもしくはI2C、または各スロットとドライバシステムの対応する回路との間の別個のデータ接続部の使用をもたらしてもよい。
【００３３】
プラグ脱着可能なモジュールは、少なくともさらなる回路および好ましくはまた筐体も備える。
【００３４】
本発明の代替実施形態では、プラグ脱着可能なモジュールは、追加の計算リソースをもたらすために提供されることもあり、それ故にある機能性との関連で余分な処理パワーを提示する。上で述べられるアナログ信号の課題に反して、今ではデジタル信号処理に関連する考察が、活動し始め、それ故に次の、A/D、デジタルインターフェース、D/Aなどの回路の1つまたは複数が、ドライバとモジュールとの間の相互作用を可能にするためのデジタルインターフェースを提供するために必要とされることもある。また、ドライバシステムがすでにMPUを提供されているために、もしモジュールが、純粋にアナログであるならば、A/Dコンバータを有するモジュールを有することが、有利なこともある。
【００３５】
本発明のなお別の代替実施形態では、プラグ脱着可能なモジュールは、進歩した通信機能性(例えばワイヤレス)を提供してもよい。ドライバシステムはその結果、その後の機能性が、それに応じて可能にされてもよいように、このオプションを認識するように適合されなければならない。
【００３６】
本発明の別の態様は、ドライバシステムを有する照明器具を提供することである。それ故に、本発明の別の実施形態によると、上でまたは下で述べられるドライバシステムを有する照明器具が、提供される。
【００３７】
上でまたは下で述べられる実施形態の1つまたは複数の特徴は、本発明の新しい実施形態に対する独立請求項の特徴と組み合わされてもよい。本発明のさらなる利点および態様は、概略的図面において述べられることになる。
【００３８】
好ましい実施形態によると、ドライバシステムは、下記の節のいずれか1つの特徴を有する。
1. 照明器具の発光デバイスのための、特にLEDのための駆動信号を提供するために適合され、接続部および所定の組の回路を備え、それが、取り外し可能な方法で追加できる1つまたは複数のさらなる回路を受け取るための手段を備え、少なくとも接続部のいくつかの使用が、さらなる回路の存在および/またはタイプによって影響され得るという点においてモジュール式である、照明器具ドライバシステムであって、所定の組の回路は、基本的駆動機能性を実現する。
2. ドライバシステムは、LEDドライバを備える、節1によるドライバシステム。
3. 前記影響され得る接続部を備え、プラグ脱着可能なモジュールの1つまたは複数へのユーザアクセスを可能にする、好ましくは別個のコネクタを備える、節1または2によるドライバシステム。
4. さらなる回路を受け取るための手段は、特に1つまたは複数のさらなる回路を保持するために、機械的手段を備える、節1から3のいずれか1つによるドライバシステム。
5. 機械的手段は、1つまたは複数のさらなる回路を保持するための一対一の取り付け機構を備える、節4によるドライバシステム。
6. 1つまたは複数のモジュールを保持するための典型的なパッケージ(筐体)において予測されるエンクロージャを備える、節1から5のいずれか1つによるドライバシステム。
7. 1つまたは複数のさらなる回路を受け取るための手段は、特に前記さらなる回路の使用を受け入れるために、電子的手段を備える、節1から6のいずれか1つによるドライバシステム。
8. ドライバ内の信号適合のための手段、特に信号増幅、電気的保護または電気的絶縁のための手段を備える、節7によるドライバシステム。
9. プラグ接続されたモジュールの存在および/またはタイプを認識するためのさらなる内部回路構成を備える、節7または8によるドライバシステム。
10. さらなる内部回路構成は、特に前記プラグ接続されたモジュール機能性の使用を可能にするために、少なくとも正しい信号切り替えを設定するためのステップを取ることができる、節9によるドライバシステム。
11. ドライバシステムは、1つまたは複数のプラグ脱着可能なもしくはプラグ接続されるモジュールを備える、節1から10のいずれか1つによるドライバシステム。
12. プラグ脱着可能なモジュールは、接続部からのかつ/または接続部への信号を適合させることができる、節11によるドライバシステム。
13. モジュールは、認識信号を発生させるかかつ/または正しい信号切り替えを行うようにのいずれかに適合される、節11または12によるドライバシステム。
14. モジュールは、計算リソースを備える、節11から13のいずれか1つによるドライバシステム。
15. プラグ脱着可能なモジュールは、特にワイヤレス通信のための通信機能性、D/A回路、A/D回路および/またはデジタルインターフェースを提供する、節11から13のいずれか1つによるドライバシステム。
16. 節1から15の1つによる照明器具ドライバシステムを備える照明器具。
【図面の簡単な説明】
【００３９】
【図１】現況技術の多機能性ドライバ(100')を概念的に記述する図である。
【図２】本発明による多機能性ドライバ(100)を概念的に記述する図である。
【図３】より多くの駆動機能性を有する考案されたドライバの一実施形態を例示する図である。
【図４】より多くの処理機能性を有する考案されたドライバの一実施形態を例示する図である。
【図５】考案されたドライバの一実施形態を例示する図である。
【図６】複数の外部モジュールを介して受け取るべきオプションの機能を含む、考案されたドライバの一実施形態を例示する図である。
【図７】機械的/電気的統合の観点からプラグ脱着可能なモジュールの概念に言及しながら、考案されたドライバのさらなる実施形態を例示する図である。
【図８】機械的/電気的統合の観点からプラグ脱着可能なモジュールの概念に言及しながら、考案されたドライバのさらなる実施形態を例示する図である。
【図９】本発明によるドライバの別の実施形態を例示する図である。
【発明を実施するための形態】
【００４０】
下記において、同一の特徴または同等に機能している特徴は、もしこれが有用であるならば、同一の数字を用いて記述されることもある。
【００４１】
図1は、照明器具などの典型的な配置130'における現況技術の多機能性ドライバ100'およびその対象デバイス、すなわち発光デバイス110、例えばLEDを概念的に記述する。ドライバ100'は、複数の恒久的に組み込まれた回路200'、210'、220'を備える。矢印140は、発光デバイス110とのドライバシステムの接続を示す。
【００４２】
図2は、照明器具130などの典型的な配置における本発明による多機能性ドライバ100を概念的に記述する。回路200、210および220は、回路200'、210'、220'と同じ機能性を提供する。しかしながら、回路200、210および220の1つ、すなわち回路220は、もはやドライバの一部ではなく、モジュール300の一部である取り外し可能な追加されるさらなる回路として提供され、一方多機能性ドライバ100はそれに応じて、モジュール300を受け取るために対応する手段310を用いて適合される。手段310は、以下で述べられることになるような機械的手段および電子的手段を含む。例えば、モジュール300の受け取りは、モジュール300を受け取り手段310のスロット内に持ち込むことによって実現される。プラグ接続するモジュール300のプロセス(さらなる回路220を付着させるために)は、矢印150によって示される。
【００４３】
図2は、概念的であることに留意されたい。実際には、そのような多機能性ドライバ100の最初の寸法を有する好ましい実施形態では、そのような1つまたは複数のモジュール300がぴったり合うこともある少なくともエンクロージャが、提供されることになる。エンクロージャは、筐体の一部であってもよい。本発明の別の実施形態によると、基本的ドライバシステムのエンクロージャまたは別の部分はまた、いったん追加されたモジュールをドライバシステムに恒久的に固定するロッキングデバイスを提供してもよい。本発明はまた、ドライバ機能性の必要とされる部分ならびにその適切な寸法および/または電子的インターフェース手段を提供するために適合される、(プラグ脱着可能な)モジュールにも関する。ドライバシステム100の回路は、基本的駆動機能性を提供しかつ追加されるさらなる回路と統合することができるように調節される必要があるので、ドライバシステム100の所定の組のドライバのレイアウトは、ドライバシステム100'の組と同一ではない。
【００４４】
図3は、少なくとも正しい信号切り替えを設定するためのステップを取ることができる内部回路構成320および/またはドライバ100内の信号適合回路構成を備えるさらなる回路を受け取るための電子的手段の存在を概念的に例示する。認識信号発生回路および/または信号適合回路構成が、モジュール300内に位置する、代替構成は、ここでは図示されない。
【００４５】
図4は、モジュール間の通信を容易にするためのドライバ側およびモジュール側の電子手段としての前記モジュール300およびドライバ100におけるデジタル信号処理回路400、410の存在を概略的に例示する。デジタル信号処理ユニットは、MPUおよび/またはA/DもしくはD/Aコンバータを備えることもある。
【００４６】
本発明は、照明器具内での電気的/機械的統合が、選択される機能性に関係なく不変のままであることを可能にするように適合されるということに留意されたい。さらに、本発明は、その機能に関連する電気的/熱的性能が、選択される機能性に関係なく再び保証可能であり、それ故に電気保安/標準準拠を確実にするという解決策を提供する。
【００４７】
上で言及される図は、1つの外部モジュールの使用を例示するだけであるが、しかし本発明はまた、例えば図6に例示されるように、複数の全く異なるモジュールさえもの使用にも関係するということに留意されたい。
【００４８】
本発明のさらに詳細な記述が今から、以下でさらに提供される。本発明は、図6に示されるLEDドライバなどのドライバシステム100が、LEDドライバの主要機能を確実にするために必須であるいくつかのブロック(それらの機能に関連してさらに'A' & 'B' & 'Z'と呼ばれる)を少なくとも含んでいるという考えの上に構築されているということを思い出されたい。いくつかのオプションのブロックはまた、主要機能に加えていくつかのオプションの機能を提示するために、LEDドライバの一部であってもよい。
【００４９】
そのような概念的仮定に基づくと、既存の従来技術は、次の通りに述べられてもよく、すなわちLEDドライバの製造業者は、ドライバのポートフォリオを提示する。各モデルは、主要機能(A+B+Z)に必要とされるハードウェアを含む。いくつかのモデルは、主要機能と組み合わされる1つまたは複数のオプションの機能を含むハードウェア設計を提示する(ここでは図示されず)。そのようなオプションの機能はその結果、ハードウェアおよび/またはソフトウェア手段を通じて有効にまたは無効にされてもよく、すなわち例えば(ハードウェア)スイッチは、ソフトウェア手段だけを介して単に有効にまたは無効にする代わりに、オプションの機能を有効にまたは無効にするために使用されてもよい。
【００５０】
現況技術に反して、提供される発明の一実施形態は、次の通りに述べられてもよく、図6に示され、すなわちLEDドライバシステムは、外部モジュールが、オプションの機能の1つまたは複数を提供するためにドライバ内に(少なくとも)部分的にぴったり合わせることができるように、主要機能を確実にするために必要とされる電子的ハードウェア回路がまた、いくつかの電気的/機械的相互接続手段も含むような方法で設計される。加えて、ドライバ上で利用できるいくつかの接続部(ブロックAまたはZ)の使用は、外部モジュールの存在およびタイプによって影響されることもある。
【００５１】
本発明の例示的実施形態では、本発明は、追加のモジュールの1つかまたは複数のいずれかを受け取ることができるように適合される、基本的LEDドライバ(ビルディングブロックまたは回路A、B、Zを有する)を提供し、モジュール300(回路CおよびDを含む)は、追加されるとき、1〜10V調光能力(回路C)およびDALI調光機能性(回路D)の両方を有するLEDドライバをもたらし、さらなるモジュール301(回路E)は、追加されるとき、より進歩した調光機能性をさえもたらす。別法として、回路CまたはDはまた、調光時間依存の調光プロフィールを使用するためにリアルタイムクロック機能性を提供してもよい。
【００５２】
具体的な例示的実施形態では、機能Aは、幹線(mains)入力回路構成および接続部に関係してもよく、機能Bは、電圧/電流調整回路構成に関係してもよく、一方機能Zは、LED出力回路構成および接続部に関係し、一方他のオプションの機能C、D、Eはそれぞれ、1〜10V調光制御回路、DALI調光制御回路およびより進歩した自動化調光機能性を提示するための計算リソースに関係してもよい。図6は、この概念を例示し、実際にはドライバ内の異なる回路200、210、230およびそれらの関係、例えばプラグ脱着可能なモジュールを有することに関係なく、駆動機能性のリンク510を介しての発光デバイス110への信号伝達の保存を例示する。この実施形態では、発光デバイス110は、LEDである。その上、図6に示されるように、プラグ脱着可能なモジュール300は、複数の回路220、240を有してもよい。
【００５３】
図5にさらに例示されるように、ドライバ100は、電力供給装置、例えば幹線への接続のためのコネクタ440の入力接続部441および発光デバイス110への接続のためのコネクタ430の出力接続部431を有するパッケージを備える。電力供給装置に接続されるとき、入力接続部441は、電力を入力電力回路構成200に提供し、出力接続部431は、発光デバイス110を駆動するための適切な出力信号を提供する。
【００５４】
図6はまた、受け取り手段310-およびそれ故に対応するモジュール300、301-が有する接続部が、信号リンク500を介して1つの回路210に向けられてもよく、おそらくはさらに述べられるような制御信号に集中されることになり、一方別の回路200は、リンク520を介してモジュール300、301の方へ電力を提供してもよいということも例示する。信号540を介しての回路Zからの代替電力供給もまた、示される。
【００５５】
最後に、図6はまた、特に回路ブロック230に接続される、ドライバ100上で利用可能ないくつかの接続部の使用が、信号550を介してプラグ脱着可能なモジュール300、301の存在およびタイプによって影響されることもあるということを例示する。そのような信号は、プラグ脱着可能なモジュール300、301が、接続部から来る信号を適合させることができかつ/またはドライバ回路ブロック230の接続部に伝達されるべき信号を適合させることができるように、双方向であってもよい。それ故に、プラグ脱着可能なモジュールは、ドライバ100の接続部上で利用可能な信号のタイプに影響を与えることもあるということに留意する。さらに、プラグ脱着可能なモジュール300、301はまた、リンク500を通じて主要機能Bに影響を与えるために接続部からの信号を適合させてもよく、かつ/またはそのような適合された信号を信号関係550に起因して回路ブロック230のコネクタに対して利用可能にする前に、別のリンク560を通じて主要機能から利用可能な信号を適合させてもよい。
【００５６】
一般に、本発明は典型的には、60%から90%に至るまでの場合に顧客ニーズと一致しているドライバ解決策(考案されたドライバおよび使用されるべきモジュール)を提示しながら、50%を超えて70%にさえ至るまでの大型化を克服することができる。
【００５７】
図5は、本発明の例示的実施形態を提供する。図5はまた、図6に例示されるように含む、本発明のすべての実施形態について関心のある、いくつかの追加の態様も例示する。
【００５８】
それらの追加の態様の1番目は、最も可能性が高くモジュール300が、アクティブコンポーネントを有することになり、最も可能性が高くモジュール300が、それ自身の電力源を有さないことになるということに留意することである。それ故に、多機能性ドライバ100は好ましくは、それが、電力を多機能性ドライバ100の内部回路構成に提供することができるが、しかしまた適切な電力を様々な種類のプラグ脱着可能なモジュール(または複数モジュール)300に配送することもできるはずであるという点において適合される、電力接続部520および電力源200(外部の電力供給装置、例えば幹線からの電力を適切な電力信号に変換するためのコンバータを有する電力供給入力回路構成A)を提供する。LEDドライバ100とプラグ脱着可能なモジュール(または複数モジュール)300との間の接続部は、そのような電力信号を運ぶことができなければならない。それらの追加の態様の2番目は、異なる駆動機能性を実現するための1つまたは複数のプラグ脱着可能なモジュール300、301の寄与が典型的には、異なる制御機能性を提供することにあることになり、それ故にそれが発生させる信号が典型的には、ドライバの制御バスへの制御信号であるということを強調することである。図5に示されるモジュールはそれぞれ、異なる機能性を提供するけれども(対応するボックス内に開示されるように)、異なるモジュールは一般に、数字'300'を用いて描写される。提供されることもある機能性は、近距離無線通信制御(NFC制御)、ブルートゥース(登録商標)低エネルギー制御(BLE制御)、ENOCEAN制御、DALI制御、DMX制御、0〜10V制御を含む。受け取り手段310を介して、モジュール300は、例えば制御バス機能性およびMPUを備える回路410と接続部570を通じて通信する。
【００５９】
述べられた実施形態のいずれかにおいて使用されてもよい例示的実施形態では、さらなる回路は、調光制御回路構成、および好ましくは次のもの、すなわちDMX(デジタルマルチプレックス)制御回路構成、DALI制御回路構成、0〜10V調光制御回路構成のいずれか1つを備える。好ましくは、受け取り手段310は、異なる調光制御回路構成を含有する少なくとも2つの異なるタイプのプラグ脱着可能なモジュールを受け取るように構成される。
【００６０】
述べられた実施形態のいずれかにおいて使用されてもよい例示的実施形態では、さらなる回路は、通信回路構成、および好ましくは次のもの、すなわちENOCEAN制御回路構成、ブルートゥース(登録商標)低エネルギー(BLE)制御回路構成、ジグビー(ZigBee)制御回路構成、NFC(近距離無線通信)制御回路構成、LoRa、Sigfoxなどの低電力広域ネットワーク(LPWAN)回路構成、狭帯域モノのインターネット(NB-IoT)のいずれか1つを備える。好ましくは、受け取り手段は、異なる通信回路構成を含有する少なくとも2つの異なるタイプのプラグ脱着可能なモジュールを受け取るように構成される。
【００６１】
述べられた実施形態のいずれかにおいて使用されてもよい例示的実施形態では、さらなる回路は、Li-Fi制御回路構成を備える。
【００６２】
述べられた実施形態のいずれかにおいて使用されてもよい例示的実施形態では、さらなる回路は、デジタル信号処理回路構成を備える。
【００６３】
述べられた実施形態のいずれかにおいて使用されてもよい例示的実施形態では、さらなる回路は、ファームウェア更新ハンドリング回路構成を備える。
【００６４】
述べられた実施形態のいずれかにおいて使用されてもよい例示的実施形態では、さらなる回路は、センサ制御回路構成、好ましくは次のもの、すなわちIRカメラ昼光感知回路構成、運動センサおよびビデオ/イメージ処理回路構成、空気品質感知回路構成、音センサのいずれか1つを備える。
【００６５】
それらの追加の態様の3番目は、LEDドライバ100が好ましくは、プラグ脱着可能なモジュール300、301の1つまたは複数へのユーザによるアクセスが、LEDドライバの内部回路構成を通過することなく可能であるという点において構築されるということを強調することである。図5では、このアクセス可能性は、別個のコネクタ420を用いて実現される。コネクタ420は、接続部421を備え、その機能性は、プラグ接続されたモジュール300に依存して変わる。外部接続部421は、内部接続部580を通じて受け取り手段310に接続される。別のコネクタ430もまた、接続部431を備え、その使用は、接続されているモジュール300のタイプによって同様に影響され得る。例えば、接続部431は、モジュール300の1つを用いて制御されている調光レベルに従って異なるレベルの電力供給を提供してもよい。
【００６６】
代替実施形態では、電力源は、別個のコネクタ420を通じて提供されてもよく、それ故に別個のコネクタ420およびモジュール300の対応する接続部はその結果、そのような電力信号を運ぶように設計されるべきであるということに留意されたい。
【００６７】
図7は、モジュール300がそれを通って挿入されてもよいリセス710を備える筐体またはパッケージ700を有するドライバ100を示す。好ましくは、モジュール300は、モジュール300が組み込まれるとき、外表面730および740が、互いに同一平面となるように、筐体700と協調する筐体またはパッケージ720を有する。2つのコネクタ420および430は、図5および図6に関連して上で説明されたように、いったんモジュール300が、組み込まれ、ドライバシステムが、動作中であると影響されるそれぞれの接続部421および431を備える。さらに、筐体700は、電力供給装置、例えば幹線への接続のためのコネクタ(図示されず)を提供される。
【００６８】
図8の横断面図は、モジュール300のさらなる回路を有する回路基板820の対応する部分を受け取るスロット810を有する筐体700の内部の一部を開示する。スロット810は、筐体700の底部に提供され、かつ基本的駆動機能性のための所定の組の回路(図示されず)を備える、回路基板830に付着される。好ましくは、スロット810は、接触端子(図7および図8では見えない)を備え、プラグ脱着可能なモジュール300の回路基板820は、プラグ脱着可能なモジュールが、プラグ接続されるとき、スロット810の接触端子が、対応する接触端子825に接触するように、対応する接触端子825を備える。
【００６９】
本発明による別のドライバシステムは、2つのモジュール300を受け取るための手段を備えてもよい。そのような実施形態は、図9に概略的に例示される。照明器具ドライバシステムは、電力供給装置10、例えば幹線への接続のための外部入力接続部441、および発光デバイス110への接続のための外部出力接続部431を有するパッケージ700を備える。所定の組の回路(図示されず)は、パッケージ700内に配置される。所定の組の回路は、発光デバイス110の基本的駆動機能性を行うように適合され、幹線入力回路構成A、電圧/電流調整回路構成B、およびLED出力回路構成Zを備えてもよい。所定の組の回路は、例えば図7および図8に関連して述べられるように、パッケージ700内の回路基板(図示されず)上に提供されてもよい。
【００７０】
パッケージ700は、パッケージ700内に第1の受け取り手段310を提供される。第1の受け取り手段は、第1のリセス710を通じてアクセス可能であり、プラグ脱着可能なモジュール300が、パッケージ700の外側から第1のリセス710を通って第1の受け取り手段310内に受け取られてもよいように、さらなる回路を備える第1のプラグ脱着可能なモジュール300を受け取るために構成される。モジュール300のさらなる回路は、プラグ脱着可能なモジュール300が、受け取り手段310にプラグ接続されるとき、パッケージ700内に配置される所定の組の回路に接続される。パッケージ700はさらに、第2のプラグ脱着可能なモジュール300'が、第2の受け取り手段310'にプラグ接続されるとき、第2のさらなる回路が、所定の組の回路に接続されるように、第2のさらなる回路を備える第2のプラグ脱着可能なモジュール300'を受け取るために構成される第2の受け取り手段310'を提供される。第2のプラグ脱着可能なモジュール300'は、第2のリセス710'を通って挿入される。
【００７１】
好ましくは、第1の受け取り手段310は、調光制御機能、例えばDMX制御機能、DALI制御機能および0〜10V調光制御機能を行うために構成される異なる第1のタイプのプラグ脱着可能なモジュール300を受け取るように構成される。その仕方において、ユーザは、例えばDALI制御調光モジュール300または0〜10V調光制御モジュール300を使用するかどうかを選ぶことができる。好ましくは、第2の受け取り手段310'は、通信機能を行うために構成されるさらなる回路、例えばブルートゥース(登録商標)低エネルギー(BLE)制御回路構成およびジグビー制御回路構成を有する異なる第2のタイプのプラグ脱着可能なモジュール300'を受け取るように構成される。その仕方において、ユーザは、BLE通信モジュール300'またはジグビー通信モジュール300'を使用するかどうかを選ぶことができる。当業者は、多くの他の通信プロトコルが、存在し、モジュール300'がまた、他の通信回路構成を含んでもよいということを理解する。第1および第2の受け取り手段310、310'はそれぞれ、図7および図8に関連して上で述べられるようなスロットを備えてもよい。
【００７２】
他の実施形態では、異なる第1および第2のタイプのモジュール300、300'は、次のもの、すなわちDMX(デジタルマルチプレックス)制御回路構成、DALI制御回路構成、0〜10V調光制御回路構成、ENOCEAN制御回路構成、ブルートゥース(登録商標)低エネルギー(BLE)制御回路構成、ジグビー制御回路構成、NFC(近距離無線通信)制御回路構成、LoRa、Sigfoxなどの低電力広域ネットワーク(LPWAN)回路構成、狭帯域モノのインターネット(NB-IoT)、Li-Fi制御回路構成、通信回路構成、デジタル信号処理回路構成、ファームウェア更新ハンドリング回路構成、IRカメラ昼光感知回路構成、運動センサおよびビデオ/イメージ処理回路構成、空気品質感知回路構成、音センサ回路構成の任意の1つまたは複数であってもよい。
【００７３】
パッケージ700は、第1のプラグ脱着可能なモジュール300が、第1の受け取り手段310にプラグ接続されるとき、モジュール300のさらなる回路に接続される(580を見られたい)外部接続部421を提供される。接続部421は、パッケージの外側からユーザによってアクセス可能である。その仕方において、入力および/または出力信号20は、モジュール300のさらなる回路とパッケージ700の外側のデバイス、例えばユーザによって制御可能な制御ユニットとの間で交換可能である。接続部421を通じての電気的入力/出力信号20は、挿入されるモジュール300に応じて異なることになる。
【００７４】
パッケージ700は、プラグ接続されるとき、プラグ脱着可能なモジュール300の存在および/またはタイプを認識するように構成される内部回路構成を備えてもよい。別法として、接続部421は、モジュール300を認識する能力がある制御デバイスに接続されてもよい。
【００７５】
要約すると、本発明は、発光デバイスのためのドライバシステム、特にLEDドライバ、および両方の機能性、すなわち電気的-(ガルバニック)絶縁を含む-かつ/または熱的考察がそれによって考慮される、その文脈(照明器具のような)を考慮する、その対応するモジュールのための特に注意深く考察された設計アーキテクチャに関する。さらに、異なる使用シナリオを考慮してコストの観点から最初のパッケージの外側に置くことを可能にするために追加の回路構成を使用するという接合設計の文脈における注意深い考察が、ここでは顕著である。最初の回路(最初のパッケージ内にとどまる)は典型的には、変化を必要とすることもあるということを強調する価値がある。例えば、様々なモード間で選択する切り替え回路は今では、可変負荷および/または入力の量に対処することができなければならない。さらに、従来技術のLEDドライバは、1つの回路内での機能性の一部の統合から恩恵を受けることもあるが、今では意図的に全体の機能性がここでは、代わりに一種の基板レベル上で提供される。
【符号の説明】
【００７６】
10  電力供給装置
20  入力/出力信号
100  本発明による多機能性ドライバ、ドライバシステム、LEDドライバ
100'  現況技術の多機能性ドライバ
110  発光デバイス
130  照明器具
130'  典型的な配置
140  矢印
150  矢印
200  回路、電力源
200'  恒久的に組み込まれた回路
210  回路
210'  恒久的に組み込まれた回路
220  回路、さらなる回路構成
220'  恒久的に組み込まれた回路
230  回路、回路ブロック
240  回路
300  モジュール
300'  異なるモジュール、第2のモジュール
301  モジュール
310  受け取り手段
310'  第2の受け取り手段
320  内部回路構成
400  デジタル信号処理回路
410  デジタル信号処理回路
420  コネクタ
421  接続部
430  コネクタ
431  出力接続部
440  コネクタ
441  入力接続部
500  リンク
510  リンク
520  リンク、電力接続部
540  信号
550  信号
560  リンク
570  接続部
580  内部接続部
700  パッケージ、筐体
710  リセス
710'  第2のリセス
720  筐体、パッケージ
730  外表面
740  外表面
810  スロット
820  回路基板
825  接触端子
830  回路基板
【図１】
2019526157.tif 000003
【図２】
2019526157.tif 000004
【図３】
2019526157.tif 000005
【図４】
2019526157.tif 000006
【図５】
2019526157.tif 000007
【図６】
2019526157.tif 000008
【図７】
2019526157.tif 000009
【図８】
2019526157.tif 000010
【図９】
2019526157.tif 000011
【国際調査報告】
2019526157.tif 000012
2019526157.tif 000013
2019526157.tif 000014